(57)【要約】【課題】ユーザがパノラマ画像を視認することを容易にする撮像装置と撮像方法を提供すること。【解決手段】デジタルカメラ１００は、アスペクト比が横１６：縦９である表示部１０６を備える。【選択図】図５
2007143064.tif 000002
【特許請求の範囲】
【請求項１】
撮像して画像データを取得する撮像手段と、
前記撮像手段により取得された、複数の画像データから生成されたパノラマ画像データを取得するパノラマ画像取得手段と、
前記画像データ及び前記パノラマ画像データのうち少なくともいずれかを表示する表示手段と、
を備え、
前記表示手段のアスペクト比は横１６：縦９であることを特徴とする撮像装置。
【請求項２】
さらに、前記撮像手段により複数の画像データを取得し、該複数の画像データを結合してパノラマ画像データを生成するパノラマ画像生成手段を備えることを特徴とする請求項１に記載の撮像装置。
【請求項３】
前記撮像手段により取得される前記画像データの示す画像のアスペクト比は、横４：縦３であることを特徴とする請求項１又は２に記載の撮像装置。
【請求項４】
前記撮像手段により取得される前記画像データの示す画像のアスペクト比として、横１６：縦９又は横４：縦３を、ユーザの指示に従い設定するアスペクト比設定手段を備え、前記撮像手段が前記設定手段の設定に従って前記画像データを取得することを特徴とする請求項１又は２に記載の撮像装置。
【請求項５】
前記表示手段は、電子ビューファインダとして機能する領域と、前記撮像手段により取得した画像データを表示する領域とを有することを特徴とする請求項１乃至４のいずれか１項に記載の撮像装置。
【請求項６】
前記電子ビューファインダとして機能する領域と、前記撮像手段により取得した画像データを表示する領域とが、一部重複していることを特徴とする請求項５に記載の撮像装置。
【請求項７】
前記重複の大きさを、ユーザの指示に従って設定する重複設定手段を備えることを特徴とする請求項６に記載の撮像装置。
【請求項８】
撮像して画像データを取得する撮像工程と、
前記撮像工程により取得された、複数の画像データから生成されたパノラマ画像データを取得するパノラマ画像取得工程と、
前記画像データ及び前記パノラマ画像データのうち少なくともいずれかを表示手段に表示する表示工程と、
を備え、
前記表示手段のアスペクト比は横１６：縦９であることを特徴とする撮像方法。
【請求項９】
撮像して画像データを取得する撮像工程と、
前記撮像工程により取得された、複数の画像データから生成されたパノラマ画像データを取得するパノラマ画像取得工程と、
前記画像データ及び前記パノラマ画像データのうち少なくともいずれかを表示手段に表示する表示工程と、
を備え、
前記表示手段のアスペクト比は横１６：縦９であることを特徴とする撮像方法をコンピュータに実行させるためのプログラム。
【請求項１０】
請求項９に記載のプログラムを記録したコンピュータ読み取り可能な記憶媒体。
【発明の詳細な説明】
【技術分野】
【０００１】
本発明は、パノラマ画像を撮像可能な撮像装置及び撮像方法に関する。
【背景技術】
【０００２】
撮像装置の一例であるデジタルカメラは、従来、アスペクト比が横４：縦３のディスプレイを備えるものが一般的である。このデジタルカメラを用いてパノラマ画像を撮像する（以下、「パノラマ撮像」と呼ぶ）方法が提案されている（特許文献１参照）。
【０００３】
従来のデジタルカメラは、一般に、パノラマ画像をアスペクト比が横４：縦３のディスプレイに収まるように変倍して、ディスプレイに表示する。
【特許文献１】特開平２−１７８６４６号公報
【発明の開示】
【発明が解決しようとする課題】
【０００４】
パノラマ画像は、一般に、アスペクト比が横４：縦３の画像を横に複数つなぎ合わせたものであるため、横４：縦３よりもさらに横長である。したがって、パノラマ画像の全体を、従来のデジタルカメラが備える、アスペクト比が横４：縦３のディスプレイに表示すると、表示される画像は小さくなり、ユーザがパノラマ画像を視認することが困難である。
【０００５】
本発明はこのような状況に鑑みてなされたものであり、ユーザがパノラマ画像を視認することを容易にする撮像装置と撮像方法を提供することを目的とする。
【課題を解決するための手段】
【０００６】
上記課題を解決するために、本発明の撮像装置は、撮像して画像データを取得する撮像手段と、前記撮像手段により取得された、複数の画像データから生成されたパノラマ画像データを取得するパノラマ画像取得手段と、前記画像データ及び前記パノラマ画像データのうち少なくともいずれかを表示する表示手段と、を備え、前記表示手段のアスペクト比は横１６：縦９であることを特徴とする。
【０００７】
また、本発明の撮像方法は、撮像して画像データを取得する撮像工程と、前記撮像工程により取得された、複数の画像データから生成されたパノラマ画像データを取得するパノラマ画像取得工程と、前記画像データ及び前記パノラマ画像データのうち少なくともいずれかを表示手段に表示する表示工程と、を備え、前記表示手段のアスペクト比は横１６：縦９であることを特徴とする。
【０００８】
なお、その他の本発明の特徴は、添付図面及び以下の発明を実施するための最良の形態の記載によっていっそう明らかになるものである。
【発明の効果】
【０００９】
以上の構成により、本発明の撮像装置と撮像方法によれば、ユーザがパノラマ画像を視認することが容易になる。
【発明を実施するための最良の形態】
【００１０】
以下、添付図面を参照して、本発明の上位概念、中位概念および下位概念の理解に役立つ実施形態を示す。なお、以下の実施形態に含まれる概念について、そのすべてが特許請求の範囲に記載されているとは限らない。ただし、これは特許発明の技術的範囲から意識的に除外したのではないことを理解していただきたい。
【００１１】
［第１の実施形態］
＜デジタルカメラ１００の構成＞
図１は、本発明を適用する撮影装置であるデジタルカメラ１００の構成を示す機能ブロック図である。
【００１２】
制御部１０１は、デジタルカメラ１００の各構成要素を制御することにより、デジタルカメラ１００全体を制御する。
【００１３】
撮像部１０２は、例えばＣＣＤなどの固体撮像素子により構成され、光信号をアナログ電気信号に変換する。
【００１４】
信号処理部１０３は、撮像部１０２から得られたアナログ電気信号をＡ／Ｄ変換によりデジタル電気信号とする。デジタル電気信号が、すなわち、撮像された画像データである。信号処理部１０３はまた、画像データに対して、輝度補正やホワイトバランス処理などの画像処理を施す。
【００１５】
表示制御部１０４は、信号処理部１０３から得られた画像データを表示部１０６に表示する制御を行う。
【００１６】
表示用メモリ１０５は、表示制御部１０４から送られてきた、表示部１０６に表示するための画像データを格納する。
【００１７】
表示部１０６は、例えば液晶パネルなどにより構成され、表示用メモリ１０５に格納されている画像データが示す画像を表示する。なお、表示部１０６のアスペクト比は、横１６：縦９である。
【００１８】
圧縮・伸長部１０７は、信号処理部１０３から得られた画像データ及びメモリカード１０９から読み出された画像データを圧縮したり伸張したりする。画像データの圧縮は、例えばＪＰＥＧ符号化により行われる。
【００１９】
メモリカードＩ／Ｆ１０８は、メモリカード１０９に対して画像データを読み書きするためのインタフェースである。
【００２０】
メモリカード１０９は、例えばフラッシュメモリなどにより構成され、画像データを格納する。メモリカード１０９はデジタルカメラ１００に対して着脱可能であってもよいし、内蔵されていてもよい。また、画像データを格納可能であれば、メモリカード１０９の代わりにＨＤＤ（ハードディスクドライブ）などが用いられてもよい。
【００２１】
操作部１１０は、ユーザがデジタルカメラ１００に様々な指示を与えるために使用されるものである。操作部１１０は例えば、再生スイッチ、画像送りスイッチ、画像戻しスイッチ、画像表示キー、設定キー、読み出しキーなどから構成される。
【００２２】
光学レンズ１１１は、被写体の光学像を撮像部１０２に結像させる。
【００２３】
商用電源１１２は、ＡＣアダブタを介してデジタルカメラ１００に電力を供給する。
【００２４】
定電圧発生回路１１３は、商用電源１１２から供給された電力の電圧を、制御部１０１などの各構成要素に適切な電圧に変換して、各構成要素に供給する。
【００２５】
充電回路１１４は、二次電池１１６を充電するために供給する電力を制御する回路である。
【００２６】
切替器１１５は、デジタルカメラ１００の各構成要素に、二次電池１１６から電力を供給するか否かを切り替える。
【００２７】
二次電池１１６は、リチウムイオン電池やニッケル水素電池から構成され、デジタルカメラ１００の各構成要素に電力を供給する。
【００２８】
外部装置Ｉ／Ｆ１１７は、デジタルカメラ１００と外部装置を接続するためのＵＳＢポートやＩＥＥＥ１３９４ポートなどを制御するためのインタフェースである。
【００２９】
外部装置１１８は、プリンタやＰＣ（パーソナルコンピュータ）であり、外部装置Ｉ／Ｆ１１７を介してデジタルカメラ１００とデータの送受信をすることができる。
【００３０】
ＲＡＭ１１９は、制御部１０１がワークエリアとして使用したり、パノラマ画像を生成するための画像データを一時的に記憶したりするためのメモリである。
【００３１】
＜パノラマ撮像処理の流れ＞
図２は、第１の実施形態における、デジタルカメラ１００を用いたパノラマ撮像処理の流れを示すフローチャートである。本フローチャートにおける処理により、デジタルカメラ１００は、アスペクト比が横４：縦３の撮像画像を横に複数並べて、パノラマ画像を生成する。
【００３２】
ステップＳ２０１で、制御部１０１は、デジタルカメラ１００の電源がＯＮであり、かつ、静止画撮像モードに設定されているか否かを判定する。ここでの判定は、制御部１０１が操作部１１０に含まれるスイッチ等の状態を検出することにより行われる。デジタルカメラ１００の電源がＯＮであり、かつ、静止画撮像モードに設定されていれば、ステップＳ２０２に進む。
【００３３】
ステップＳ２０２で、制御部１０１は、光学レンズ１１１が現在捉えている画像を表示部１０６に表示する。詳述すると、光学レンズ１１１から入射した光学像が撮像部１０２上に結像してアナログ電気信号に変換され、アナログ電気信号は信号処理部１０３において画像データに変換される。表示制御部１０４は、制御部１０１の指示を受けて画像データの示す画像を表示部１０６に表示する。図３は、ステップＳ２０２において画像が表示部１０６に表示される様子の一例を示す図である。
【００３４】
なお、ステップＳ２０２で表示される画像のアスペクト比は横４：縦３である。また、表示部１０６はＥＶＦとして機能するため、光学レンズ１１１が捉えている画像の変化に追随して、表示部１０６に表示される画像も変化する。
【００３５】
ステップＳ２０３で、制御部１０１は、デジタルカメラ１００がパノラマ撮像モードに設定されているか否かを判定する。ここでの判定は、制御部１０１が操作部１１０に含まれるスイッチ等の状態を検出することにより行われる。デジタルカメラ１００がパノラマ撮像モードに設定されていれば、ステップＳ２０４に進む。
【００３６】
ステップＳ２０４で、制御部１０１は、ステップＳ２０２では表示部１０６の中央に表示していた画像を、表示部１０６の左端に表示する。また、パノラマ画像を構成する画像データの数を示す変数Ｎを１に設定する。次いで、ステップＳ２０５に進む。
【００３７】
ステップＳ２０５で、制御部１０１は、パノラマ撮像モードを終了する指示を受信したか否かを判定する。パノラマ撮像モードを終了する指示は、例えば、ユーザが操作部１１０を介して制御部１０１に与えることができる。パノラマ撮像モードを終了する指示を受信した場合は処理を終了し、受信していない場合はステップＳ２０６に進む。
【００３８】
ステップＳ２０６での処理は、Ｎ＝１か、Ｎ＞１によって異なる。図４及び図５は、ステップＳ２０６において表示部１０６に表示される画像の一例を示す図である。
【００３９】
Ｎ＝１の場合、表示部１０６には、図４に示すような表示がなされる。表示領域４０１はＥＶＦとして機能し、ステップＳ２０４と同様、光学レンズ１１１が現在捉えている画像が表示される。
【００４０】
Ｎ＞１の場合、表示部１０６には、図５に示すような表示がなされる。表示領域４０１には、直前に撮像された画像が表示される。表示領域４０２はＥＶＦとして機能し、光学レンズ１１１が現在捉えている画像が表示される。ユーザは表示領域４０１に表示される画像と表示領域４０２に表示される画像の境界線が一致するように次の撮像を行うことにより、パノラマ画像を撮像することができる。
【００４１】
ステップＳ２０７で、制御部１０１は、操作部１１０に含まれるシャッターボタンが押下されたか否かを判定する。押下された場合はステップＳ２０８に進み、押下されなかった場合はステップＳ２０６に戻る。
【００４２】
ステップＳ２０８で、制御部１０１は、信号処理部１０３や圧縮・伸長部１０７などを制御することにより撮像を行い、Ｎ番目の画像データを取得する。
【００４３】
ステップＳ２０９で、制御部１０１は、ステップＳ２０８で取得した画像データをメモリカード１０９に記録する。
【００４４】
ステップＳ２１０で、制御部１０１は、メモリカード１０９から１〜Ｎ番目の画像データをすべて読み出し、ＲＡＭ１１９に格納する。
【００４５】
ステップＳ２１１で、制御部１０１は、ステップＳ２１０でＲＡＭ１１９に格納した画像データを横に並べて表示部１０６に表示する。Ｎ＝２の場合、ステップＳ２１１で表示部１０６に表示される画像は、例えば図５に示すようになる。ただし、ステップＳ２０６における表示と異なり、表示領域４０２はＥＶＦとして機能する訳ではなく、２番目に撮像された画像が表示される。
【００４６】
ここで重要なことは、表示部１０６のアスペクト比が横１６：縦９であり、横４：縦３に比べて横長であることである。そのため、アスペクト比が横４：縦３の画像を複数並べてパノラマ画像として表示しても、表示部１０６のアスペクト比が横４：縦３の場合に比べて、表示されるパノラマ画像が大きくなる。
【００４７】
ステップＳ２１２で、Ｎに１を加えてステップＳ２０５に戻り、同様の処理を繰り返す。
【００４８】
なお、ステップＳ２０５〜Ｓ２１２の処理が複数回繰り返されることにより、ステップＳ２１１で表示されるパノラマ画像を構成する画像データの数が増える。図５では、表示部１０６は２つの表示領域を持つのみである。しかし、例えばＮ＝５となれば、５枚の画像からパノラマ画像が生成されるため、表示部１０６は横に並ぶ５つの表示領域に分割され、それぞれにＮ＝１〜５番目の画像が表示される。
【００４９】
＜第１の実施形態のまとめ＞
以上説明したように、本実施形態によれば、デジタルカメラ１００はアスペクト比が横１６：縦９の表示部１０６を備える。デジタルカメラ１００は、アスペクト比が横４：縦３の画像を横に複数並べて表示部１０６にパノラマ画像として表示する。
【００５０】
これにより、アスペクト比が横４：縦３の表示部にパノラマ画像を表示する場合に比べて、表示されるパノラマ画像が大きくなり、ユーザがパノラマ画像を視認することが容易になる。
【００５１】
［第２の実施形態］
第１の実施形態では、１つのパノラマ画像を構成する複数の画像データは、別個のファイルとしてメモリカード１０９に記録される。そのため、例えばパノラマ画像をＰＣ上で使用する場合、ユーザは専用のアプリケーションを使用するなどして複数のファイルの結合処理を行わなければならない。この結合処理は煩雑である。
【００５２】
そこで、第２の実施形態として、デジタルカメラ１００が複数の画像データを結合して１つのパノラマ画像ファイルとしてメモリカード１０９に記録する構成を説明する。
【００５３】
なお、本実施形態において、デジタルカメラ１００の構成は第１の実施形態と同様でよいため、その説明を省略する。
【００５４】
＜ユーザインタフェース＞
図６は、デジタルカメラ１００によるパノラマ撮像時に画像データの結合を行うか否かをユーザに選択させるためのユーザインタフェースを示す図である。このインタフェースは、例えばユーザが操作部１１０を操作することにより呼び出されて表示部１０６に表示される。図に示すように、ユーザが結合処理を「する」を選択した場合、パノラマ撮像時に以下に示す処理が行われる。なお、ユーザが結合処理を「しない」を選択した場合、パノラマ撮像時に行われる処理は第１の実施形態と同様である。
【００５５】
＜パノラマ撮像処理の流れ＞
図７は、第２の実施形態における、デジタルカメラ１００を用いたパノラマ撮像処理の流れを示すフローチャートである。第１の実施形態（図２）と同一の処理を行うステップには同一の符号を付し、説明を省略する。
【００５６】
ステップＳ７０１で、制御部１０１は、Ｎ＞１であるか否かを判定する。Ｎ＞１の場合はステップＳ７０２に進み、Ｎ＞１でない場合はステップＳ７０４に進む。
【００５７】
ステップＳ７０２で、制御部１０１は、メモリカード１０９から１〜（Ｎ−１）番目の画像データから構成されるパノラマ画像データを取得し、ＲＡＭ１１９に格納する。
【００５８】
ステップＳ７０３で、制御部１０１は、ステップＳ７０２で取得したパノラマ画像データとＮ番目の画像データを結合し、新たなパノラマ画像データを生成する。パノラマ画像合成方法は、合成しようとする複数の画像の中から対応点を捜し出し、この対応点を元に合成処理を行う。
【００５９】
ステップＳ７０４で、制御部１０１は、ステップＳ７０３で生成されたパノラマ画像データをメモリカード１０９に書き込む。ただし、Ｎ＝１の場合、制御部１０１は１番目の画像データをメモリカード１０９に書き込む。
【００６０】
ステップＳ７０５で、制御部１０１は、ステップＳ７０４でメモリカード１０９に記録した画像データの示す画像を、表示部１０６に表示する。
【００６１】
＜第２の実施形態のまとめ＞
以上説明したように、本実施形態によれば、デジタルカメラ１００が複数の画像データから１つのパノラマ画像ファイルを生成し、メモリカード１０９に記録する。
【００６２】
これにより、ユーザがＰＣ等で画像ファイルの結合処理を行う必要が無く、煩雑さが軽減される。
【００６３】
［第３の実施形態］
第１の実施形態では、パノラマ撮像時に、直前に撮像された画像と光学レンズ１１１が現在捉えている画像が、重なることなく表示部１０６に表示された。
【００６４】
第３の実施形態では、パノラマ撮像時に、光学レンズ１１１が現在捉えている画像が直前に撮像された画像の一部に重ねられて（オーバレイされて）表示部１０６に表示される構成を説明する。これにより、ユーザが複数の画像を隙間無く撮像することがより容易になる。
【００６５】
なお、本実施形態において、デジタルカメラ１００の構成は第１の実施形態と同様でよいため、その説明を省略する。
【００６６】
また、以下では、第３の実施形態における構成を第１の実施形態における構成に付加して説明するが、第２の実施形態における構成に付加することもできる。
【００６７】
＜ユーザインタフェース＞
図８は、デジタルカメラ１００によるパノラマ撮像時に画像データを重ねるか否かをユーザに選択させるためのユーザインタフェースを示す図である。このインタフェースは、例えばユーザが操作部１１０を操作することにより呼び出されて表示部１０６に表示される。図に示すように、ユーザが重なりを「小」又は「大」を選択した場合、パノラマ撮像時に以下に示す処理が行われる。なお、ユーザが重なりを「なし」を選択した場合、パノラマ撮像時に行われる処理は第１の実施形態と同様である。
【００６８】
図９は、パノラマ撮像時に、光学レンズ１１１が現在捉えている画像が直前に撮像された画像の一部に重ねられて（オーバレイされて）表示部１０６に表示される様子を示す図である。図に示すように、第１の実施形態と異なり、表示領域４０２は境界幅９０１を持つ。境界幅９０１が、光学レンズ１１１が現在捉えている画像と直前に撮像された画像の重なり部分であり、幅の大きさは図８のユーザインタフェースを介して決定される。
【００６９】
＜パノラマ撮像処理の流れ＞
図１０は、第３の実施形態における、デジタルカメラ１００を用いたパノラマ撮像処理の流れを示すフローチャートである。第１の実施形態（図２）と同一の処理を行うステップには同一の符号を付し、説明を省略する。
【００７０】
ステップＳ１００１における処理は、ステップＳ２０６における処理と似ているが、表示部１０６に表示される画像が図５に示すものではなく、図９に示すものである。
【００７１】
ステップＳ１００２で、制御部１０１は、ステップＳ２０８と同様、撮像を行い、Ｎ番目の画像データを取得する。ただし、Ｎ番目の画像データは、図９の表示領域４０２から境界幅９０１に表示される部分を除いた画像から生成されるものである。なお、Ｎ番目の画像データを取得する段階では境界幅９０１に表示される部分を除かず、パノラマ画像生成時に境界幅９０１に表示される部分を除いてももちろん構わない。
【００７２】
＜第３の実施形態のまとめ＞
以上説明したように、本実施形態によれば、パノラマ撮像時に、光学レンズ１１１が現在捉えている画像が直前に撮像された画像の一部に重ねられて（オーバレイされて）表示部１０６に表示される。
【００７３】
これにより、ユーザが複数の画像を隙間無く撮像することがより容易になる。
【００７４】
［第４の実施形態］
第１〜第３の実施形態では、パノラマ画像を構成する個々の画像のアスペクト比は必ず横４：縦３であるという前提で説明した。
【００７５】
第４の実施形態では、パノラマ画像を構成する個々の画像のアスペクト比を横４：縦３とするか、横１６：縦９とするかをユーザが選択可能な構成を示す。これにより、ユーザは横１６：縦９のワイド画像を用いたパノラマ撮像も可能となり、より柔軟なパノラマ撮像が可能となる。
【００７６】
なお、本実施形態において、デジタルカメラ１００の構成は第１の実施形態と同様でよいため、その説明を省略する。
【００７７】
また、以下では、第４の実施形態における構成を第１の実施形態における構成に付加して説明するが、第２又は第３の実施形態における構成に付加することもできる。
【００７８】
図１１は、第４の実施形態における、デジタルカメラ１００を用いたパノラマ撮像処理の流れを示すフローチャートである。第１の実施形態（図２）と同一の処理を行うステップには同一の符号を付し、説明を省略する。
【００７９】
ステップＳ１１０１で、制御部１０１は、パノラマ画像を構成する個々の画像、すなわち撮像画像のアスペクト比が横１６：縦９に設定されているか否かを判定する。ここでの判定は、制御部１０１が操作部１１０に含まれるスイッチ等の状態を検出することにより行われる。撮像画像のアスペクト比が横１６：縦９に設定されていればステップＳ１１０２に進み、そうでなければステップＳ２０４に進む。
【００８０】
ステップＳ１１０２における処理は、ステップＳ２０４における処理と似ているが、表示部１０６に表示される画像のアスペクト比が横１６：縦９である点が異なる。図１２は、ステップＳ１１０２において表示部１０６に表示される画像の一例を示す図である。
【００８１】
ステップＳ１１０３で、制御部１０１は、ステップＳ１１０１で判定されたアスペクト比でパノラマ撮像を行ってよいかをユーザが確認するためのユーザインタフェースを表示部１０６に表示する。そして、制御部１０１は、操作部１１０などを介してアスペクト比がユーザに了承されたか否かを判定する。図１３は、ステップＳ１１０３において表示部１０６に表示されるユーザインタフェースの一例を示す図である。アスペクト比がユーザに了承された場合はステップＳ２０５に進み、そうでない場合はステップＳ１１０１に戻る。
【００８２】
＜第４の実施形態のまとめ＞
以上説明したように、本実施形態によれば、デジタルカメラ１００を用いたパノラマ撮像において、パノラマ画像を構成する個々の画像のアスペクト比を横４：縦３とするか、横１６：縦９とするかをユーザが選択可能である。
【００８３】
これにより、ユーザは横１６：縦９のワイド画像を用いたパノラマ撮像も可能となり、より柔軟なパノラマ撮像が可能となる。
【００８４】
［その他の実施形態］
上述した各実施形態では、撮像画像を左から右へ順に並べてパノラマ画像とすることとしていた。しかし、撮像画像を右から左へ順に並べてパノラマ画像としてももちろん構わない。
【００８５】
また、上述した各実施の形態の処理は、各機能を具現化したソフトウェアのプログラムコードを記録した記憶媒体をシステム或は装置に提供してもよい。そして、そのシステム或は装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００８６】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施の形態の機能が実現される場合も含まれている。
【００８７】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【図面の簡単な説明】
【００８８】
【図１】本発明を適用する撮影装置であるデジタルカメラ１００の構成を示す機能ブロック図である。
【図２】第１の実施形態における、デジタルカメラ１００を用いたパノラマ撮像処理の流れを示すフローチャートである。
【図３】ステップＳ２０２において画像が表示部１０６に表示される様子の一例を示す図である。
【図４】ステップＳ２０６において表示部１０６に表示される画像の一例を示す図である。
【図５】ステップＳ２０６において表示部１０６に表示される画像の一例を示す図である。
【図６】デジタルカメラ１００によるパノラマ撮像時に画像データの結合を行うか否かをユーザに選択させるためのユーザインタフェースを示す図である。
【図７】第２の実施形態における、デジタルカメラ１００を用いたパノラマ撮像処理の流れを示すフローチャートである。
【図８】デジタルカメラ１００によるパノラマ撮像時に画像データを重ねるか否かをユーザに選択させるためのユーザインタフェースを示す図である。
【図９】パノラマ撮像時に、光学レンズ１１１が現在捉えている画像が直前に撮像された画像の一部に重ねられて（オーバレイされて）表示部１０６に表示される様子を示す図である。
【図１０】第３の実施形態における、デジタルカメラ１００を用いたパノラマ撮像処理の流れを示すフローチャートである。
【図１１】第４の実施形態における、デジタルカメラ１００を用いたパノラマ撮像処理の流れを示すフローチャートである。
【図１２】ステップＳ１１０２において表示部１０６に表示される画像の一例を示す図である。
【図１３】ステップＳ１１０３において表示部１０６に表示されるユーザインタフェースの一例を示す図である。
【符号の説明】
【００８９】
１００  デジタルカメラ
１０６  表示部
【図１】
2007143064.tif 000003
【図２】
2007143064.tif 000004
【図３】
2007143064.tif 000005
【図４】
2007143064.tif 000006
【図５】
2007143064.tif 000007
【図６】
2007143064.tif 000008
【図７】
2007143064.tif 000009
【図８】
2007143064.tif 000010
【図９】
2007143064.tif 000011
【図１０】
2007143064.tif 000012
【図１１】
2007143064.tif 000013
【図１２】
2007143064.tif 000014
【図１３】
2007143064.tif 000015